(57)【要約】【課題】気圧補助式運動機器を提供する。【解決手段】本考案の気圧補助式運動機器は第二グリップの凸パイプのピストン部位に組合せ式ピストン台を採用し、この組合せ式ピストン台は凸柱部とピストン部を含み、凸柱部を第二グリップの凸パイプの中に差し込んで固定し、そのピストン部はスライドして第一グリップの横向きパイプの中に組み合わせることができる。さらに、結合部及内面穴において位置制御リングを設置し、位置制御リングは結合部によって第一グリップの横向きパイプの接続口に固定され、内面穴は第二グリップの凸パイプを通すことができる。内面穴の周辺には環状縁が設けられ、組合せ式ピストン台のピストン部の脱落を防止することができる。【選択図】図1
0003124453.tif 000002
【実用新案登録請求の範囲】
【請求項１】
Ｔ形パイプ状であり、縦向きパイプ及び横向きパイプから構成され、当該縦向きパイプの外側に握り部があり、当該横向きパイプが当該縦向きパイプの片側まで伸び、当該横向きパイプの接続口の外面にスクリューが設けられる第一グリップと、
プレス部を有し、当該プレス部の内側から凸パイプが横に伸び、当該凸パイプが前記第一グリップの前記横向きパイプの中に挿入できる第二グリップと、
凸柱部及びピストン部を有し、当該凸柱部を前記第二グリップの前記凸パイプの中に挿入し、当該ピストン部にＯリングが装着され、前記横向きパイプの内側と気密状態を達成し、当該ピストン部の端面と前記第一グリップの前記横向きパイプの内側の間に圧縮空間が形成される組合せ式ピストン台と、
結合部及び内面穴を有し、当該結合部の内面がスクリューであり、当該結合部によって前記第一グリップの前記横向きパイプの接続口に固定され、前記第二グリップの前記凸パイプが当該内面穴を通過でき、当該内面穴の周辺に前記組合せ式ピストン台の前記ピストン部が脱落しないように環状縁が設置される位置制御リングと、
前記第一グリップの前記横向きパイプと前記組合せ式ピストン台の前記ピストン部の端面の間に装着され、前記第二グリップを常に外側に広げるスプリングと、
前記第一グリップの前記縦向きパイプの片側に設置され、外側が開口になり、当該開口の外周にスクリューが設けられ、前記横向きパイプの内側との間に壁板が設置され、当該壁板に通気穴が設けられ、前記横向きパイプと前記ピストン台の間で形成された前記圧縮空間の内部空気が当該通気穴から放出され、当該開口の片側に外部に通じる気孔がさらに設置される気圧調節部と、
底部にパイプが設けられ、当該パイプが前記縦向きパイプの前記気圧調節部の中に装着でき、当該パイプの底面に調整柱が前記気圧調節部の前記通気穴と向かい合う状態で設置され、当該パイプの上部が回転ヘッドになり、当該回転ヘッドに前記気圧調節部の開口のスクリューと結合するためのねじ込み部が設けられ、当該回転ヘッドを正または逆方向に回すと当該パイプが上下に移動し、当該調整柱と前記通気穴の間隔を調整し気圧による抵抗力を調整するボリウムと、
前記第一グリップの前記横向きパイプの接続口に装着され、前記横向きパイプの接続口と向かい合う面に間隔を空ける数個の突起部を設置し、前記横向きパイプの接続口に当該突起部を固定するための溝を設置する方向決めリングと、
を含み、
前記方向決めリングの内側には溝縁が設けられ、前記第二グリップの凸パイプには当該溝縁と結合するための縦軸に伸びる凸ストライプが設置され、前記第二グリップの前記凸パイプ及び前記組合せ式ピストン台が前記第一グリップの前記横向きパイプの中でスライド移動する時の方向を制限する、
気圧補助式運動機器。
【請求項２】
Ｔ形パイプ状であり、縦向きパイプ及び横向きパイプから構成され、当該縦向きパイプの外側に握り部があり、当該横向きパイプが当該縦向きパイプの片側まで伸び、当該横向きパイプの接続口の外面にスクリューが設けられる第一グリップと、
プレス部を有し、当該プレス部の内側から凸パイプが横に伸び、当該凸パイプが前記第一グリップの前記横向きパイプの中に挿入できる第二グリップと、
凸柱部及びピストン部を有し、当該凸柱部を前記第二グリップの前記凸パイプの中に挿入し、当該ピストン部にＯリングが装着され、前記横向きパイプの内側と気密状態を達成し、当該ピストン部の端面と前記第一グリップの前記横向きパイプの内側の間に圧縮空間が形成される組合せ式ピストン台と、
結合部及び内面穴を有し、当該結合部の内面がスクリューであり、当該結合部によって前記第一グリップの前記横向きパイプの接続口に固定され、前記第二グリップの前記凸パイプが当該内面穴を通過でき、当該内面穴の周辺に前記組合せ式ピストン台の前記ピストン部が脱落しないように環状縁が設置される位置制御リングと、
前記第一グリップの前記横向きパイプと前記組合せ式ピストン台の前記ピストン部の端面の間に装着され、前記第二グリップを常に外側に広げるスプリングと、
前記第一グリップの前記横向きパイプの接続口に装着され、前記横向きパイプの接続口と向かい合う面に間隔を空ける数個の突起部を設置し、前記横向きパイプの接続口に当該突起部を固定するための溝を設置する方向決めリングと、
を含み、
前記方向決めリングの内側には溝縁が設けられ、前記第二グリップの凸パイプには当該溝縁と結合するための縦軸に伸びる凸ストライプが設置され、前記第二グリップの前記凸パイプ及び前記組合せ式ピストン台が前記第一グリップの前記横向きパイプの中でスライド移動する時の方向を制限する、
気圧補助式運動機器。
【請求項３】
縦向きパイプ及び二本の横向きパイプを有し、当該二本の横向きパイプが左右対称に当該縦向きパイプの両側に伸び、当該横向きパイプの接続口の外面にスクリューが設けられる軸台と、
Ｔ形パイプ状であり、縦向きプレス部及び当該縦向きプレス部の内側から横方向に伸びる凸パイプを含み、当該凸パイプが前記軸台の前記横向きパイプの中に挿入する二つのグリップと、
凸柱部及びピストン部を有し、当該凸柱部が前記凸パイプの中に差し込んで固定され、当該ピストン部がスライドされて前記軸台の前記横向きパイプの中に挿入可能であり、当該ピストン部に更にＯリングが設けられ、前記横向きパイプの内面と気密状態を達成し、当該ピストン部の端面と前記横向きパイプの内面に圧縮空間が形成される二つの組合せ式ピストン台と、
結合部及び内面穴を有し、当該結合部の内面がスクリューであり、当該結合部によって前記横向きパイプの接続口の外面に設けられるスクリューに固定され、前記凸パイプが当該内面穴を通過でき、当該内面穴の周辺に前記組合せ式ピストン台のピストン部が脱落しないように環状縁が設置される二つの位置制御リングと、
前記軸台の前記横向きパイプと前記組合せ式ピストン台のピストン部の端面の間に装着され、前記二つのグリップを常に外側に広げる二つのスプリングと、
前記横向きパイプの接続口に装着され、前記横向きパイプの接続口と向かい合う面に間隔を空ける数個の突起部が設置され、当該横向きパイプの接続口に当該突起部を固定するための溝が設置される方向決めリングと、
を含み、
前記方向決めリングの内側には溝縁が設けられ、前記凸パイプには当該溝縁と結合するための縦軸に伸びる凸ストライプが設置され、前記凸パイプ及び前記組合せ式ピストン台が前記横向きパイプの中でスライド移動する時の方向を制限する、
気圧補助式運動機器。
【請求項４】
前記軸台は、気圧調節部とボリウムを含み、
前記気圧調節部は、前記軸台の縦向きパイプの片側に設置され、前記気圧調節部の外側が開口になり、当該開口の外周にはスクリューが設けられ、前記気圧調節部及び前記横向きパイプの内側の間に壁板が設置され、当該壁板には通気穴を有し、前記横向きパイプと前記ピストン座との間で形成される圧縮空気が当該通気穴から放出可能であり、前記気圧調節部の開口の片側には外部に通じる気孔がさらに設置され、
前記ボリウムの底部には前記縦向きパイプの前記気圧調節部の中に装着できるパイプが配置され、当該パイプの底面に調整柱が前記気圧調節部の前記通気穴と向かい合う状態で設置され、当該パイプの上部が回転ヘッドになり、当該回転ヘッドには前記気圧調節部の開口のスクリューと結合するためのねじ込み部が設けられ、当該回転ヘッドを正または逆方向に回すとパイプが上下に移動し、当該調整柱と前記通気穴の間隔を調整し、気圧による抵抗力を調整する、
請求項３に記載の気圧補助式運動機器。
【考案の詳細な説明】
【技術分野】
【０００１】
本考案は、運動機器に関し、特に、気圧補助式運動機器に関する。
【背景技術】
【０００２】
ハンドグリップのような従来の気圧補助式運動機器を例にとると、ハンドグリップは握力を鍛えるためのトレーニング器具である。気圧による抵抗を採用している従来のハンドグリップはＨ型構造で、一つのＴ型第一グリップ及び一つのＴ型第二グリップが左右対称に装着され、二つのグリップの結合部にはピストンが中空チューブの中に設置され、スプリングの作用によって、二つのグリップを近づけたり、離したりすることでトレーニングを行うことができる。また、前述のピストンの内側と中空チューブの内側に形成された気室（空間）は動作時に伸縮し、気圧による抵抗が生まれる。この場合、前述の従来のハンドグリップ構造ではその片方のグリップに設けられたピストン部分はそのグリップから一体形成された横向きに拡大した形状となっているため、それをもう一つのグリップの中空チューブと組み合わせた時、ピストンが脱落しないように中空チューブの接続口に固定パーツを装着しなければならない。
【０００３】
また、従来の固定パーツは二つの半円形のパーツを左右対称に並べた状態で中空チューブの接続口に装着され（その固定パーツは拡大形状のピストンから入れることができないため）、しかも二つの半円形のパーツと中空チューブの接続口は接着剤のみで固定されている。そのようにして作られたハンドグリップは二つのグリップを操作して握力のトレーニングを行う時、ピストンが常に固定パーツに衝突するため、二つの半円形のパーツによって形成された固定パーツの結合部はそのような衝撃に耐えられず徐々に分離してしまう可能性がある。また、二つの半円形のパーツと中空チューブの接続口を固定している接着剤も粘着面が小さいため、しっかりとした粘着が得られ難く、全体的にいえば、上述の従来のハンドグリップにとって最大の問題点はピストンの組合せ構造が安定性に欠け、脱落／破損しやすいことであり、ハンドグリップの耐久性もそれに伴い低下し、使用者の要求を満たすことができない。
【０００４】
よって、上述の気圧による抵抗を取り入れた運動機器の問題点を改善し、より理想的な実用性を伴う新型構造を開発することは消費者が待望することであり、当業者の目指すところでもある。
【考案の開示】
【考案が解決しようとする課題】
【０００５】
本考案の目的は、気圧補助式運動機器を提供することにある。
【課題を解決するための手段】
【０００６】
前述の目的を達成するために、本考案は、第二グリップの凸パイプのピストン部位に組合せ式ピストン台を採用し、組合せ式ピストン台は一つの凸柱部及び一つのピストン部を含み、凸柱部を第二グリップの凸パイプの中に差し込んで固定し、そのピストン部はスライドして第一グリップの横向きパイプの中に組み合わせることができる。さらに、結合部及内面穴をもつ一つの位置制御リングを設置し、その位置制御リングは結合部によって第一グリップの横向きパイプの接続口に固定され、内面穴は第二グリップの凸パイプを通すことができる。そして、内面穴の周辺には一つの環状縁が設けられ、組合せ式ピストン台のピストン部の脱落を防止することができる。
【０００７】
また、第一グリップの横向きパイプの接続口に一つの方向決めリングを装着し、その方向決めリングと横向きパイプの接続口の間は溝及び突起部を組み合わせて固定し、方向決めリングと第二グリップの凸パイプは溝縁と凸ストライプを組み合わせて凸パイプの方向を制限するという構造を利用して、第二グリップの凸パイプが第一グリップの横向きパイプの中でスライドした時の方向を制限し、第二グリップの回転を防止することができる。
【考案の効果】
【０００８】
本考案は、気圧補助式運動機器を提供する。
【考案を実施するための最良の形態】
【０００９】
次に、添付した図面を参照しながら、本考案の好適な実施形態を詳細に説明する。
【００１０】
図１、図２、図３及び図４は、本考案における気圧補助式運動機器の好適な実施形態を示す図である。本実施例における気圧補助式運動機器は、一つのハンドグリップＡを有し、第一グリップ１０、第二グリップ２０、組合せ式ピストン台３０、位置制御リング４０、スプリング５０、気圧調節部６０、ボリウム７０及び方向決めリング８０を含む。
【００１１】
第一グリップ１０は、Ｔ形パイプ状で一本の縦向きパイプ１１及び一本の横向きパイプ１２から構成され、縦向きパイプ１１の外側には四本指で握り込むことのできる握り部１３があり、握り部１３は握りやすいようなウェーブ状とすることが可能である。横向きパイプ１２は、縦向きパイプ１１の片側の中段部分まで伸びる。
【００１２】
第二グリップ２０は、掌の根元で押し込むことのできる一つの縦向きプレス部２１を有し、プレス部２１の内側から一本の凸パイプ２２が横に伸び、この凸パイプ２２は第一グリップ１０の横向きパイプ１２の中に挿入することができ、第一、第二グリップ１０、２０を組み合わせると一つのＨ型ハンドグリップを形成する。
【００１３】
組合せ式ピストン台３０は、一つの凸柱部３１及び一つのピストン部３２を含み、凸柱部３１を第二グリップ２０の凸パイプ２２の中に挿入し、凸柱部３１と凸パイプ２２の間は、接着剤で粘着固定することができる。ピストン部３２はスライドして第一グリップ１０の横向きパイプ１２の中に装着することができる。ピストン部３２には一つの環状溝３３があり、それにＯリング３４を取り付けると横向きパイプ１２の内側と気密状態になり、ピストン部３２の端面と第一グリップ１０の横向きパイプ１２の内側の間にある圧縮空間３５が形成される。
【００１４】
位置制御リング４０は、一つの結合部４１及び一つの内面穴４２を含み、位置制御リング４０は結合部４１によって第一グリップ１０の横向きパイプ１２の接続口１４に固定され、内面穴４２は第二グリップ２０の凸パイプ２２を通すことができる。また、内面穴４２の周辺には組合せ式ピストン台３０のピストン部３２が脱落しないように一つの環状縁４３が設置される。
【００１５】
スプリング５０は、第一グリップ１０の横向きパイプ１２と組合せ式ピストン台３０のピストン部３２の端面の間に装着され、第二グリップ２０を外側に広げる役割を果たす。
【００１６】
気圧調節部６０は、第一グリップ１０の縦向きパイプ１１の片側に設置され、気圧調節部６０の外側は開口６１になり、この開口６１の外周にはスクリュー部６２が設けられ、気圧調節部６０と横向きパイプ１２の内側の間は一枚の壁板６３で仕切られ、壁板６３には一つの通気穴６４を残し、横向きパイプ１２とピストン台３０の間で形成された圧縮空間３５の内部空気は通気穴６４を通じて放出される。また、気圧調節部６０の開口６１の片側には、外部に通じる一つの気孔６５が設置される。
【００１７】
ボリウム７０は、底部に一本のパイプ７１があり、パイプ７１を縦向きパイプ１１の気圧調節部６０の中に装着することができる。そのパイプ７１の底面中央には一本の調整柱７２が気圧調節部６０の壁板６３の通気穴６４と向かい合う状態に設置され、パイプ７１の上部は拡大された回転ヘッド７０を形成し、その回転ヘッド７０には気圧調節部６０の開口６１のスクリュー段６２と結合するためのねじ込み部７３が設けられ、回転ヘッド７０を正、逆方向に回すとパイプ７１が上下に移動し、前述の調整柱７２と通気穴６４の間隔を調整することで気圧抵抗を調整することができる。
【００１８】
方向決めリング８０は、第一グリップ１０の横向きパイプ１２の接続口１２０に設置され、方向決めリング８０と横向きパイプ１２の接続口１２０が向かい合う面には間隔を空けた数個の突起部８１を設置し、横向きパイプ１２の接続口１２０もそれに合わせて間隔を空けた幾つかの溝１２１を設置し、前述の突起部８１をその溝に嵌めて固定できるようにする。方向決めリング８０の内側には溝縁８２が設けられ、第二グリップ２０の凸パイプ２２には、その溝縁８２と結合するための縦に伸びた凸ストライプ２２１が設置されている。これにより、第二グリップ２０の凸パイプ２２及び組合せ式ピストン台３０が第一グリップ１０の横向きパイプ１２の中でスライド移動する時の方向を制限し、第二グリップ２０の回転を防止することができる。
【００１９】
その構造において、位置制御リング４０の結合部４１は内スクリュー形式になっており、第一グリップ１０の横向きパイプ１２接続口にはそれと結合するためのスクリュー１２２が設けられている。
【００２０】
この時、ボリウム７０の調整柱７２を錐柱形式とすることも可能であるが、この場合、気圧調節部６０の通気穴６４もそれに合わせて錐穴形式とすることが必要である。
【００２１】
また、第一グリップ１０の縦向きパイプ１１の片側にカウンタ１４を装着すれば、第一グリップ１０、第二グリップ２０の動作回数を数えるカウント機能を持たせることも可能である。
【００２２】
上述の構造と設計に基づいた本考案における実施形態の組立て方式及び使用状況を下記にて説明する。
【００２３】
図２と図３を参照する。上記に掲げるハンドグリップＡを組み立てる時は、まず位置制御リング４０及び方向決めリング８０を第二グリップ２０の凸パイプ２２の上に装着し、次に組合せ式ピストン台３０を凸パイプ２２の中に設置する。この時、組合せ式ピストン台３０の凸柱部３１と凸パイプ２２の間を接着剤で粘着固定した後、スプリング５０を第一グリップ１０の横向きパイプ１２の内側に入れ、組合せ式ピストン台３０を第一グリップ１０の横向きパイプ１２の中に挿入し、方向決めリング８０を横向きパイプ１２の接続口１２０に装着し、さらに突起部８１と溝１２１を組み合わせれば固定及び回転防止の効果を達成することができる。次に位置制御リング４０の結合部４１を第一グリップ１０の横向きパイプ１２の接続口１４に固定すれば、組合せ式ピストン台３０の脱落を防止することができる。
【００２４】
上述のハンドグリップＡを使用する時は、四本指及び親指で第一グリップ１０及び第二グリップ２０をそれぞれ握り、力を加えて握り込むと第一、第二グリップ１０、２０は互いに近づく。この時、組合せ式ピストン台３０は第一グリップ１０の横向きパイプ１２の内壁方向にスライドしてスプリング５０を押付けるため弾性回復力が蓄積され、圧縮空間３５が圧縮されて気体の圧力による気圧輔助抗力が生まれる。
【００２５】
気圧調節部６０及びボリウム７０の設計、使用に関しては、図４、図５を参照する。図４はボリウム７０をきつく締めた状態を示し、この時、その底部の調整柱７２は気圧調節部６０の通気穴６４を完全に密封し、気体圧縮空間３５の空気は外部と完全に隔離されて外部に排出することができないため、比較的に大きい気圧抗力が得られる。また、図５が示すように、ボリウム７０を上に緩めた時、その底部の調整柱７２は気圧調節部６０の通気穴６４から徐々に離れて空気経路を形成し、圧縮空間３５の空気はその通気穴６４及び気圧調節部６０の開口６１に設けられた気孔６５を通じて外部の空気と接触する。この状態において、圧縮空間３５の空気が圧縮された時に外部に放出され、比較的に小さい気圧抗力が得られる。
【００２６】
図６は本考案の気圧調節部及びボリウムの他の配置形態を示す図であり、前述の実施形態と異なる点は気圧調節部６０Ｂ及びボリウム７０Ｂを横置き式構造に変えたことである。
【００２７】
図７と図８は、本考案における気圧補助式運動機器の他の構造を示す図である。この実施形態と前述の実施形態の異なる点は、前述の第二グリップの組合せ構造を対称配置のダブル組合せ形態に発展させたことである。それは、一つの軸台９０、一本の縦向きパイプ９１及び二本の横向きパイプ９２を含み、二本の横向きパイプ９２は左右対称に縦向きパイプ９１の両側に伸び、二本の横向きパイプ９２の圧縮空間３５Ｂの間は一つの壁面９３によって仕切られている。さらに二つのグリップ１０１、１０２を設置し、一つのグリップは、Ｔ形パイプ状となっており、一つの縦向きプレス部１０３及びそのプレス部の内側から横方向に伸びる凸パイプ１０４を含む。凸パイプ１０４は軸台９０の横向きパイプ９２の中に挿入することができ、二つのグリップ１０１、１０２に装着された組合せ式ピストン台３０Ｂ、位置制御リング４０Ｂ、スプリング５０Ｂは全て前述の実施形態における組立て形態と同じであるため、ここでは説明を省略する。また、この実施形態の軸台９０の縦向きパイプ９１は同じように気圧調節部６０及びボリウム７０と結合できる構造となり、横向きパイプ９２の圧縮空間３５Ｂの壁面９３に気圧調節部６０の底にある通気穴６４へ通じる一つの通気部９４を設置することで二つのグリップ１０１、１０２の動作は、同じ気圧調節部６０及びボリウム７０を共用して気圧抗力の大きさを調整できる。
【００２８】
図９は、図７と図８の構造にさらに変化を施す構造を示す図である。その違いは、二つのグリップ１０１、１０２の縦向きプレス部１０３Ｂが左右対称の内向き凹弧形態となることであり、このような設計を取り入れたことにより、図１０のようなレッグプレス運動が可能となる。つまり、本実施例における運動機器はレッグストレッチ器具としても利用できることを示している。さらに、本実施形態における内向き凹弧形態を採用する縦向きプレス部１０３Ｂの設計は前述の各実施形態のグリップに適用することが可能である。
【００２９】
本考案は、主に第二グリップ２０の凸パイプ２０のピストン部位に組合せ式ピストン台３０の特殊設計を採用し、その組合せ式ピストン台３０の凸柱部３１は第一グリップ１０の横向きパイプ１２の中に差し込んで固定することができる。このような構造において、凸柱部３１と凸パイプ２０の間は円周状の大面積で接する状態となるため、それを接着剤で固定すれば衝撃に強い、しっかりとした結合効果が得られる。また、位置制御リング４０を第一グリップ１０の横向きパイプ１２の接続口１２０に装着する時、ねじ固定方式で位置制御リング４０を固定すれば、より強固な組合せ状態を達成できるうえ、組合せ式ピストン台３０をしっかりと固定して組合せ式ピストン台３０の衝撃に耐えられる脱落しにくいものとなる。このような独創的な新型設計は既存構造に較べ、第二グリップ２０のピストン部位の組合せ状態をより強固かつ脱落しにくいものとするだけでなく、耐久性に優れた実用的かつ進歩性を有するものとなる。
【００３０】
ゆえに、本考案は、少なくとも以下の利点を有する。
【００３１】
１、本考案は、第一グリップ１０の横向きパイプ１２の接続口１２０に一つの方向決めリング８０を設置し、その方向決めリング８０と横向きパイプ１２の接続口１２０が向かい合う面には間隔を空けた数個の突起部８１を設置し、横向きパイプ１２の接続口１２０にも突起部８１を嵌めて固定できる溝１２１を設置する。方向決めリング８０の内側には溝縁８２が設けられ、第二グリップ２０の凸パイプ２２にはその溝縁８２と結合するための凸ストライプ２２１が設置されている。これにより、第二グリップ２０の凸パイプ２２及び組合せ式ピストン台３０が第一グリップ１０の横向きパイプ１２の中でスライド移動する時の方向を制限し、第二グリップ２０の回転を防止することができる。
【００３２】
２、本考案における気圧調節部６０及びボリウム７０の設計としては、ボリウム７０の開け締めによってその底部の調整柱７２の気圧調節部６０の通気穴６４の開閉を制御する。このような仕組みを利用すれば気圧抗力の度合いを調整することができ、使用者の様々な需要に応えられる。
【００３３】
３、本考案の図９の実施形態において、二つのグリップ１０１、１０２の縦向きプレス部１０３Ｂを左右対称の内向き凹弧形態とすることで、該運動機器はレッグストレッチ器具としての応用が可能となる。
【００３４】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００３５】
【図１】本考案における運動機器の斜視図である。
【図２】本考案における運動機器の分解図である。
【図３】本考案における運動機器の局所分解図である。
【図４】本考案における運動機器の断面図である。
【図５】本考案における運動機器の局所断面図である。
【図６】本考案における気圧調節部及びボリウムの他の配置形態に係る図である。
【図７】本考案の他の実施形態に係る斜視図である。
【図８】本考案の他の実施形態に係る断面図である。
【図９】本考案の他の実施形態に係る図である。
【図１０】図９の運動機器の使用状態を示す図である。
【符号の説明】
【００３６】
１０            第一グリップ
１１            縦向きパイプ
１２            横向きパイプ
１２０          接続口
１２１          溝
１２２          スクリュー
１３            握り部
１４            カウンタ
２０            第二グリップ
２１            プレス部
２２            凸パイプ
２２１          凸ストライプ
３０、３０Ｂ    組合せ式ピストン台
３１            凸柱部
３２            ピストン部
３３            環状溝
３４            Ｏリング
３５、３５Ｂ    圧縮空間
４０、４０Ｂ    位置制御リング
４１            結合部
４２            内面穴
４３            環状縁
５０、５０Ｂ    スプリング
６０            気圧調節部
６１            開口
６２            スクリュー段
６３            壁板
６４            通気穴
６５、６５Ｂ    気孔
７０、７０Ｂ    ボリウム
７１            パイプ
７２            調整柱
７３            ねじ込み部
８０            方向決めリング
８１            突起部
８２            溝縁
９０            軸台
９１            縦向きパイプ
９２            横向きパイプ
９３            壁面
９４            通気部
１０１、１０２  グリップ
１０３、１０３Ｂ  縦向きプレス部
１０４          凸パイプ
【図１】
0003124453.tif 000003
【図２】
0003124453.tif 000004
【図３】
0003124453.tif 000005
【図４】
0003124453.tif 000006
【図５】
0003124453.tif 000007
【図６】
0003124453.tif 000008
【図７】
0003124453.tif 000009
【図８】
0003124453.tif 000010
【図９】
0003124453.tif 000011
【図１０】
0003124453.tif 000012